(57)【要約】【課題】TCM ISDNサービスのISDN加入者線路とxDSLサービスのxDSL専用線路とを統合することで発生するNEXT（Near End x-Talk）やFEXT（Far End x-Talk）ノイズを制御できる、TCM ISDN技術が適用された次世代ネットワークシステム等を提供する。【解決手段】次世代ネットワークシステムは、ATM（Asynchronous Transfer Mode）網からの広帯域クロックを用いて、TCM ISDN及びxDSLで使われるTTR基準クロックを生成し出力する同期クロック生成部(100)と、PSTN（1）からのTCM ISDNデータを一時的に格納した後、TCM ISDNデータのフレームを整列し、TCM ISDNデータを同期クロック生成部からのTTR基準クロックに同期化してTCM ISDN端末機(4)に送信し、且つ、TCM ISDN端末機からのTCM ISDNデータを、前記TTR基準クロックに同期化して一時的に格納した後、PSTNに転送するTCM ISDN加入者処理部(100)と、を備える。【選択図】  図１
2007215190.tif 000002
【特許請求の範囲】
【請求項１】
ＴＣＭ（Time Compression Multiplex）ＩＳＤＮ（Integrated Service Digital Network）サービスとｘＤＳＬ（x Digital Subscriber Line）サービスとを統合した次世代ネットワークシステムであって、
ＡＴＭ（Asynchronous Transfer Mode）網から提供される広帯域クロックを用いて、ＴＣＭ ＩＳＤＮ及びｘＤＳＬで使われるＴＴＲ（Transmit Timing Reference）基準クロックを生成し、各々出力する同期クロック生成部と、
ＰＳＴＮ（Public Switched Telephone Network）から受信されたＴＣＭ ＩＳＤＮデータを一時的に格納し、ＴＣＭ ＩＳＤＮデータのフレームを整列し、ＴＣＭ ＩＳＤＮデータを前記同期クロック生成部から提供されたＴＴＲ基準クロックに同期化して、該同期化されたＴＣＭ ＩＳＤＮデータを加入者のＴＣＭ ＩＳＤＮ端末機に送信し、且つ、前記ＴＣＭ ＩＳＤＮ端末機から受信されたＴＣＭ ＩＳＤＮデータを前記同期クロック生成部を介して入力されたＴＴＲ基準クロックに同期化して、該同期化されたＴＣＭ ＩＳＤＮデータを一時的に格納した後に、該格納されたＴＣＭ ＩＳＤＮデータを前記ＰＳＴＮに転送するＴＣＭ ＩＳＤＮ加入者処理部と、
を備えることを特徴とするＴＣＭ ＩＳＤＮ技術が適用された次世代ネットワークシステム。
【請求項２】
前記同期クロック生成部は、
前記ＡＴＭ（Asynchronous Transfer Mode）網から提供された広帯域クロックを用いてｘＤＳＬデータ同期クロック及びＴＴＲ基準クロックを生成して出力するクロック処理部と、
前記クロック処理部から提供されたｘＤＳＬデータ同期クロック及びＴＴＲ基準クロックと、発振器から提供された分周クロックと、を用いてＴＣＭ ＩＳＤＮデータクロックを生成し、該生成されたクロックを前記ＴＣＭ ＩＳＤＮ加入者処理部に提供する位相固定ループと、
を備えることを特徴とする請求項１に記載のＴＣＭ ＩＳＤＮ技術が適用された次世代ネットワークシステム。
【請求項３】
前記ＡＴＭ網から提供される広帯域クロックは、６４ＫＨｚのＤＣＳ(digital clock supply) クロックであることを特徴とする請求項１に記載のＴＣＭ ＩＳＤＮ技術が適用された次世代ネットワークシステム。
【請求項４】
前記位相固定ループから提供されるＴＣＭ ＩＳＤＮデータクロックは、２０４８ＫＨｚのクロックであることを特徴とする請求項２に記載のＴＣＭ ＩＳＤＮ技術が適用された次世代ネットワークシステム。
【請求項５】
前記ＴＣＭ ＩＳＤＮ加入者処理部は、
ＰＳＴＮを介して入力されたＴＣＭ ＩＳＤＮデータを一時的に格納するための送信格納部と、
ＴＣＭ ＩＳＤＮ端末機から転送されるＴＣＭ ＩＳＤＮデータを一時的に格納するための受信格納部と、
前記ＰＳＴＮからＴＣＭ ＩＳＤＮデータを受信すると、該受信されたＴＣＭ ＩＳＤＮデータを前記送信格納部に一時的に格納した後に、該格納されたＴＣＭ ＩＳＤＮデータを前記同期クロック生成部から提供されたＴＴＲ基準クロックに同期化し、該同期化されたＴＣＭ ＩＳＤＮデータを加入者のＴＣＭ ＩＳＤＮ端末機に転送し、且つ、前記ＴＣＭ ＩＳＤＮ端末機からＴＣＭ ＩＳＤＮデータを受信すると、該受信されたＴＣＭ ＩＳＤＮデータを前記同期クロック生成部から提供されたＴＴＲＫＩジューンクロックに同期化して、該同期化されたＴＣＭ ＩＳＤＮデータを一時的に格納した後に、該格納されたＴＣＭ ＩＳＤＮデータをＰＳＴＮに転送するフレーム整列部と、
を備えることを特徴とする請求項１に記載のＴＣＭ ＩＳＤＮ技術が適用された次世代ネットワークシステム。
【請求項６】
前記送信格納部は、
入力されたデータを格納するためのＩＳＤＮ送信データ入力領域と、格納されたデータを出力するためのＩＳＤＮ送信データ出力領域と、
を備えることを特徴とする請求項５に記載のＴＣＭ ＩＳＤＮ技術が適用された次世代ネットワークシステム。
【請求項７】
前記送信格納部は、３２バイト単位で３個の格納領域が設定されたことを特徴とする請求項５に記載のＴＣＭ ＩＳＤＮ技術が適用された次世代ネットワークシステム。
【請求項８】
前記受信格納部は、１２８バイトの容量を有することを特徴とする請求項５に記載のＴＣＭ ＩＳＤＮ技術が適用された次世代ネットワークシステム。
【請求項９】
前記受信格納部は、入力されたデータを格納するためのＩＳＤＮ受信データ入力領域と、格納されたデータを出力するためのＩＳＤＮ受信データ出力領域と、を備えることを特徴とする請求項８に記載のＴＣＭ ＩＳＤＮ技術が適用された次世代ネットワークシステム。
【請求項１０】
前記受信格納部は、前記ＩＳＤＮ受信データ入力領域に存在するデータをＩＳＤＮ受信データ出力領域に移動させるためのＩＳＤＮ受信データ移動領域をさらに備えることを特徴とする請求項９に記載のＴＣＭ ＩＳＤＮ技術が適用された次世代ネットワークシステム。
【請求項１１】
前記受信格納部は、３２バイト単位で３個の格納領域が設定されることを特徴とする請求項１０に記載のＴＣＭ ＩＳＤＮ技術が適用された次世代ネットワークシステム。
【請求項１２】
ＴＣＭ ＩＳＤＮ及びｘＤＳＬの処理を可能とするための次世代ネットワークシステムでのフレーム同期化方法であって、
同期クロック生成部が、ＡＴＭ網から提供された広帯域クロックを用いてＴＴＲ基準クロック及びｘＤＳＬデータ同期クロックを生成して出力する段階と、
ＴＣＭ ＩＳＤＮ加入者処理部が、ＰＳＴＮからＴＣＭ ＩＳＤＮデータを受信すると、該受信されたＴＣＭ ＩＳＤＮデータを一時的に格納した後に、該格納されたＴＣＭ ＩＳＤＮデータをＴＴＲ基準クロック及びｘＤＳＬデータ同期クロックに同期化して、該同期化されたＴＣＭ ＩＳＤＮデータを加入者のＴＣＭ ＩＳＤＮ端末機に転送する段階と、
を備えることを特徴とするＴＣＭ ＩＳＤＮ技術が適用された次世代ネットワークシステムの制御方法。
【請求項１３】
同期クロック生成部が前記ＡＴＭ網から提供された広帯域クロックを用いてＴＴＲ基準クロック及びｘＤＳＬデータ同期クロックを生成して出力する段階は、
同期クロック生成部が、前記ＡＴＭ網から広帯域クロックを受信する段階と、
同期クロック生成部が、受信された広帯域クロックを用いてｘＤＳＬデータ同期クロック及びＴＴＲ基準クロックを生成する段階と、
同期クロック生成部が、生成されたｘＤＳＬデータ同期クロック及びＴＴＲ基準クロックと、発振器から提供された分周クロックと、を用いてＴＣＭ ＩＳＤＮデータクロックを生成し、該生成されたＴＣＭ ＩＳＤＮデータクロックをＴＣＭ ＩＳＤＮ加入者処理部に提供する段階と、
を備えることを特徴とする請求項１２に記載のＴＣＭ ＩＳＤＮ技術が適用された次世代ネットワークシステムの制御方法。
【請求項１４】
前記ＴＣＭ ＩＳＤＮデータクロックは、２０４８ＫＨｚのクロックであることを特徴とする請求項１３に記載のＴＣＭ ＩＳＤＮ技術が適用された次世代ネットワークシステムの制御方法。
【請求項１５】
前記ＴＣＭ ＩＳＤＮ加入者処理部が、ＰＳＴＮからＴＣＭ ＩＳＤＮデータを受信すると、該受信されたＴＣＭ ＩＳＤＮデータを一時的に格納した後、該格納されたＴＣＭ ＩＳＤＮデータをＴＴＲ基準クロック及びｘＤＳＬデータ同期クロックに同期化して、該同期化されたＴＣＭ ＩＳＤＮデータを加入者のＴＣＭ ＩＳＤＮ端末機に転送する段階は、
ＴＣＭ ＩＳＤＮ加入者処理部が、前記ＰＳＴＮから受信されたＴＣＭ ＩＳＤＮデータをＩＳＤＮ送信データ入力領域に格納する段階と、
ＴＣＭ ＩＳＤＮ加入者処理部が、前記ＩＳＤＮ送信データ出力領域に格納されたＴＣＭ ＩＳＤＮデータをＴＴＲ基準クロックに同期化して、該同期化されたＴＣＭ ＩＳＤＮデータをＴＣＭ ＩＳＤＮ端末機に転送する段階と、
を備えることを特徴とする請求項１２に記載のＴＣＭ ＩＳＤＮ技術が適用された次世代ネットワークシステムの制御方法。
【請求項１６】
前記ＴＣＭ ＩＳＤＮ加入者処理部が、ＰＳＴＮからＴＣＭ ＩＳＤＮデータを受信すると、該受信されたＴＣＭ ＩＳＤＮデータを一時的に格納した後、該格納されたＴＣＭ ＩＳＤＮデータをＴＴＲ基準クロック及びｘＤＳＬデータ同期クロックに同期化して、該同期化されたＴＣＭ ＩＳＤＮデータを加入者のＴＣＭ ＩＳＤＮ端末機に転送する段階は、
ＴＣＭ ＩＳＤＮデータをＴＴＲ基準クロックに同期化して転送した後に、各領域に格納されたＴＣＭ ＩＳＤＮデータをシフトさせて、次の領域に移動させることを特徴とする請求項１５に記載のＴＣＭ ＩＳＤＮ技術が適用された次世代ネットワークシステムの制御方法。
【請求項１７】
前記ＴＣＭ ＩＳＤＮ端末機からＴＣＭ ＩＳＤＮデータを受信した場合に、ＴＣＭ ＩＳＤＮ加入者処理部が、該受信されたＴＣＭ ＩＳＤＮデータをＴＴＲ基準クロック及びｘＤＳＬデータ同期クロックに同期化して、該同期化されたＴＣＭ ＩＳＤＮデータを一時的に格納した後に、該格納されたＴＣＭ ＩＳＤＮデータをＰＳＴＮに転送する段階をさらに備えることを特徴とする請求項１２に記載のＴＣＭ ＩＳＤＮ技術が適用された次世代ネットワークシステムの制御方法。
【請求項１８】
前記ＴＣＭ ＩＳＤＮ端末機からＴＣＭ ＩＳＤＮデータを受信した場合に、ＴＣＭ ＩＳＤＮ加入者処理部が、該受信されたＴＣＭ ＩＳＤＮデータをＴＴＲ基準クロック及びｘＤＳＬデータ同期クロックに同期化して、該同期化されたＴＣＭ ＩＳＤＮデータを一時的に格納した後に、該格納されたＴＣＭ ＩＳＤＮデータをＰＳＴＮに転送する段階は、
ＴＣＭ ＩＳＤＮ加入者処理部が、前記ＴＣＭ ＩＳＤＮ端末機から受信されたＴＣＭ ＩＳＤＮデータをＴＴＲ基準クロックに同期化して、該同期化されたＴＣＭ ＩＳＤＮデータをＩＳＤＮ受信データ入力領域に格納する段階と、
ＴＣＭ ＩＳＤＮ加入者処理部が、ＩＳＤＮ受信データ出力領域に格納されたＴＣＭ ＩＳＤＮデータをＰＳＴＮに転送する段階と、
を備えることを特徴とする請求項１７に記載のＴＣＭ ＩＳＤＮ技術が適用された次世代ネットワークシステムの制御方法。
【請求項１９】
前記ＴＣＭ ＩＳＤＮ端末機からＴＣＭ ＩＳＤＮデータを受信した場合に、ＴＣＭ ＩＳＤＮ加入者処理部が、該受信されたＴＣＭ ＩＳＤＮデータをＴＴＲ基準クロック及びｘＤＳＬデータ同期クロックに同期化して、該同期化されたＴＣＭ ＩＳＤＮデータを一時的に格納した後に、該格納されたＴＣＭ ＩＳＤＮデータをＰＳＴＮに転送する段階は、
ＴＣＭ ＩＳＤＮ加入者処理部が、ＴＴＲ基準クロックに同期化して格納されたＴＣＭ ＩＳＤＮデータをＰＳＴＮに転送した後に、各領域に格納されたＴＣＭ ＩＳＤＮデータをシフトさせて、次の領域に移動させることを特徴とする請求項１８に記載のＴＣＭ ＩＳＤＮ技術が適用された次世代ネットワークシステムの制御方法。
【発明の詳細な説明】
【技術分野】
【０００１】
本発明は、次世代ネットワーク（Next Generation Network：以下、“ＮＧＮ”という。）においてＴＣＭ（Time Compression Multiplex：以下、“ＴＣＭ”という。）線路転送方式を使用するＴＣＭ ＩＳＤＮ（Integrated Service Digital Network:以下、“ＴＣＭ ＩＳＤＮ”という。）デジタル加入者の音声及びデータサービス転送の技術に関する。
【背景技術】
【０００２】
一般に、次世代ネットワーク通信システムとは、公衆交換電話網（Public Switched Telephone Network；以下、“ＰＳＴＮ”という。）を使用するＩＳＤＮサービスと、ＡＴＭ網を使用するＡＤＳＬサービスと、を統合したシステムをいう。
【０００３】
ここで、ＩＳＤＮサービスでは、ＰＳＴＮと加入者端末機とが、交換局内のＴＣＭ ＩＳＤＮ加入者整合装置とＥ１トランク（Ｖ５.２）線路を介して接続される。ＴＣＭＩＳＤＮ加入者整合装置は、ＰＳＴＮからＴＣＭ ＩＳＤＮデータ（音声とデータ）を受信すると、該受信されたＴＣＭ ＩＳＤＮデータをＴＣＭ ＩＳＤＮ端末機（例えば、電話機、ＰＣ（personal computer）、ＰＤＡ（personal digital assistant）など）に伝達し、一方、ＴＣＭ ＩＳＤＮ端末機からＴＣＭ ＩＳＤＮデータ（音声とデータ）を受信すると、該受信されたＴＣＭ ＩＳＤＮデータをＰＳＴＮに転送する。この際、ＰＳＴＮサービスを用いて送受信されるＴＣＭ ＩＳＤＮデータは、ＰＳＴＮから提供される狭帯域クロック（８ＫＨｚまたは２．０４８ＭＨｚ）を用いて送受信される。すなわち、ＴＣＭＩＳＤＮ加入者整合装置は、ＰＳＴＮから提供される狭帯域クロックをそのまま使用すればよい。
【０００４】
そして、ＡＤＳＬサービスでは、ＡＴＭ網とｘＤＳＬ端末機（例えば、ＰＣやノート型コンピュータ）とが、アパート団地内の少なくとも一つ以上のｘＤＳＬ（ＶＤＳＬ、ＡＤＳＬ、ＳＨＤＳＬ）加入者サービスユニットを具備したＭＤＳＬＡＭ(multi-Digital Subscriber Line Access Multiplexer)またはＤＳＬＡＭ(Digital Subscriber Line Access Multiplexer)と、ｘＤＳＬ専用線路とを介して接続される。ＭＤＳＬＡＭは、ＡＴＭ網からｘＤＳＬデータを受信すると、該受信されたｘＤＳＬデータをｘＤＳＬ端末機に転送し、一方、ｘＤＳＬ端末機からｘＤＳＬデータを受信すると、該受信されたｘＤＳＬデータをＡＴＭ網に転送する。この際、ＡＤＳＬサービスを用いて送受信されるｘＤＳＬデータは、ＡＴＭ網から提供される広帯域クロック（６４ＫＨｚ）を用いて送受信される。
【０００５】
前述したように、次世代ネットワークシステムは、ＡＤＳＬサービスとＩＳＤＮサービスとを統合したものであることから、ＩＳＤＮのＥ１トランク（Ｖ５．２）線路と、ＡＤＳＬのｘＤＳＬ専用線路とを一つの線路に統合（Bundle）して使用する。
【０００６】
すなわち、ＩＳＤＮのＥ１トランク（Ｖ５．２）線路とＡＤＳＬのｘＤＳＬ専用線路とを一つの統合（Bundle）線路として使用している従来の次世代ネットワークシステムでは、ＡＤＳＬサービス及びＩＳＤＮサービスを用いて送受信されるデータの同期が合わない場合に、デジタル加入者のＮＥＸＴ（Near End x-Talk）やＦＥＸＴ（Far End x-Talk）などのような相互干渉ノイズが発生する。
【０００７】
前述のような問題点を解決するために、ＴＣＭ ＩＳＤＮ技術が使われている。ここで、ＴＣＭ ＩＳＤＮ技術は、最近広く普及されたＡＤＳＬ（Asynchronous Digital Subscriber Line）線路技術のうち、ITU-TG.992.1 Annex-Cの“Specific requirements for an ADSL system operating in the same cable as TCM ISDN as defined in ITU-T Recommendation G.961 Appendix III”において標準化された技術である。
【０００８】
ＴＣＭ ＩＳＤＮ技術は、ｘＤＳＬ専用線路とＩＳＤＮ加入者線路とを一つの統合ケーブル（Bundle cable）として使用するものであり、このため、データを特定のクロック（例えば、４００Ｈｚ）に同期化させて送受信する。このようなＴＣＭ ＩＳＤＮ技術を従来の次世代ネットワークシステムに適用するためには、データの同期を合せるための同期システムが必要になる。
【０００９】
したがって、従来のＴＣＭ ＩＳＤＮ技術を適用した次世代ネットワークシステムは、交換局にＤＣＳ(digital clock supply)クロック提供装置を設け、ＰＳＴＮから提供される狭帯域ＴＴＲ基準クロックを受信した後に、該受信した狭帯域ＴＴＲ基準クロック（４００Ｈｚ）をＴＣＭ ＩＳＤＮ加入者整合装置及びＭＤＳＬＡＭに提供する。このＤＣＳクロック提供装置は、６４ＫＨｚの周期性周波数を備えたＡＭＩ信号を有し、かかるＡＭＩ信号をＴＣＭ ＩＳＤＮ加入者整合装置及びＭＤＳＬＡＭに伝送する。
【００１０】
しかしながら、従来、ＴＣＭ ＩＳＤＮ技術を適用した次世代ネットワークシステムでは、ＴＴＲ基準クロックを用いて同期化しなければならない交換局内のＴＣＭ ＩＳＤＮ加入者整合装置と、これと離隔されたＭＤＳＬＡＭとが、互いに遠距離に設置される。このため、距離または接続方法によって信号の伝達遅延が発生し、これにより、ＴＣＭ ＩＳＤＮのＴＴＲ（Transmit Timing Reference）信号の送信基準を示す４００Ｈｚ＋オフセット値の開始周波数位置に問題が発生する。すなわち、かかるオフセットの不正確性に起因して、ＡＤＳＬとＴＣＭ ＩＳＤＮとの統合ケーブルでは、ＦＥＸＴやＮＥＸＴノイズによる送受信データのエラーを誘発させる。
【００１１】
また、ＤＣＳクロック提供装置の同期化ヒエラルキーによって、ＮＴＲ（Network Timing Reference）の位相が交換網の位相と異なって動作することができる。
【００１２】
これらの４００Ｈｚの開始点は、交換網と連動された２０個のＮＴＲのうち特定の８ＫＨｚに同期化して開始されなければならないが、ＤＣＳクロック提供装置のＰＬＬヒエラルキーによって、ＮＴＲの変更が発生する。
【００１３】
したがって、従来の技術だけでは、ＴＣＭ ＩＳＤＮとＡＤＳＬ加入者を同一のシステム内に収容することが不可能である。
【００１４】
これは、ＰＳＴＮの狭帯域ネットワーク（Narrow band network）収容設備内のＴＣＭＩＳＤＮ加入者装置と、ＡＴＭ網の広帯域ネットワーク（Broad band network）収容装置であるＭＤＳＬＡＭとの間に、ＩＳＤＮ加入者線路とｘＤＳＬ線路とを統合ケーブルとして構成した場合には、線路ノイズが発生し、サービスを提供することが出来なくなるからである。
【００１５】
一方、ＴＣＭ ＩＳＤＮ加入者整合装置と、少なくとも一つ以上のｘＤＳＬ（ＶＤＳＬ、ＡＤＳＬ、ＳＨＤＳＬ）加入者サービスユニットを具備したＭＤＳＬＡＭとは、互いに遠距離に設置される。したがって、ＴＣＭ ＩＳＤＮ加入者整合装置及びＭＤＳＬＡＭの各々にＤＣＳクロック提供装置が設けられ、衛星システムから同じ同期クロックが各々受信されることによって、前述の問題点を解決することができる。
【００１６】
しかしながら、前述のように衛星システムが使用される場合には、次世代ネットワークシステムが衛星システムを追加的に必ず備えていなければならない、という問題点がある。
【００１７】
また、ＡＴＭ網を用いて、ＴＣＭ ＩＳＤＮサービス用の線路と同一線路に統合／構成して、ｘＤＳＬ加入者にｘＤＳＬ及びＴＣＭ ＩＳＤＮのサービスを同時に提供するために、遠隔のＡＴＭ網内に信号生成器を収容して、これにより４００Ｈｚの信号や、交換局内の交換装置とＡＴＭ網のＤＳＬＡＭ装置内のｘＤＳＬ加入者との間で発生するＮＥＸＴやＦＥＸＴノイズの除去のためのＴＴＲ（Transmit Timing Reference Clock）信号を生成し、該生成された信号らを、ＰＳＴＮに同期化された信号として使用していた。すなわち、狭帯域ネットワーク（Narrow band network）網を使用したサービスとしては、ＴＣＭ ＩＳＤＮ音声及びデータサービスのみが可能であった。
【００１８】
最近のＮＧＮ（次世代ネットワーク）の設備において、ＡＴＭ網を用いたｘＤＳＬ加入者のためのサービスとＰＳＴＮを用いたＴＣＭ ＩＳＤＮ加入者のためのサービスとを同時に提供するＮＧＮの到来に伴って、上述した装置らは、ｘＤＳＬ加入者とＴＣＭ ＩＳＤＮ加入者とを同一システム内に収容してサービス提供する方式とは異なった形態で収容されている。このため、ｘＤＳＬとＡＧＷ（Access GateWay）のＴＣＭ ＩＳＤＮとを同時に収容する場合には、そのサービスが不可能であった。
【特許文献１】韓国特許出願第２００１−７００４１２８号明細書
【発明の開示】
【発明が解決しようとする課題】
【００１９】
従って、本発明は、前述のような従来の問題点を解決するためになされたもので、その目的は、ＴＣＭ ＩＳＤＮサービスのＩＳＤＮ加入者線路とｘＤＳＬサービスのｘＤＳＬ専用線路とを統合することによって発生するＮＥＸＴ（Near End x-Talk）及びＦＥＸＴ（Far End x-Talk）ノイズを制御できる、ＴＣＭ ＩＳＤＮ技術が適用された次世代ネットワークシステム及びその制御方法を提供することにある。
【課題を解決するための手段】
【００２０】
上記目的を達成するために、本発明の第１の側面によるＴＣＭ ＩＳＤＮ技術が適用された次世代ネットワークシステムは、ＡＴＭ（Asynchronous Transfer Mode）網から提供される広帯域クロックを用いて、ＴＣＭ ＩＳＤＮ及びｘＤＳＬで使われるＴＴＲ（Transmit Timing Reference）基準クロックを生成し、各々出力する同期クロック生成部と、ＰＳＴＮ（Public Switched Telephone Network）から受信されたＴＣＭ ＩＳＤＮデータを一時的に格納し、ＴＣＭ ＩＳＤＮデータのフレームを整列し、ＴＣＭ ＩＳＤＮデータを前記同期クロック生成部から提供されたＴＴＲ基準クロックに同期化して、該同期化されたＴＣＭ ＩＳＤＮデータを加入者のＴＣＭ ＩＳＤＮ端末機に送信し、且つ、前記ＴＣＭ ＩＳＤＮ端末機から受信されたＴＣＭ ＩＳＤＮデータを前記同期クロック生成部を介して入力されたＴＴＲ基準クロックに同期化して、該同期化されたＴＣＭ ＩＳＤＮデータを一時的に格納した後に、該格納されたＴＣＭ ＩＳＤＮデータを前記ＰＳＴＮに転送するＴＣＭ ＩＳＤＮ加入者処理部と、を備える。
【００２１】
同期クロック生成部は、ＡＴＭ網から提供された広帯域クロックを用いてｘＤＳＬデータ同期クロック及びＴＴＲ基準クロックを生成して出力するクロック処理部と、かかるクロック処理部から供給されるｘＤＳＬデータ同期クロック及びＴＴＲ基準クロックと、発振器から供給される分周クロックと、を用いてＴＣＭ ＩＳＤＮデータクロックを生成し、該生成されたクロックをＴＣＭ ＩＳＤＮ加入者処理部に供給する位相固定ループと、を備えることができる。
【００２２】
この際に、ＡＴＭ網から受信される広帯域クロックは、６４ＫＨｚのＤＣＳ(digital clock supply)クロックであり、位相固定ループから提供されるＴＣＭ ＩＳＤＮデータクロックは、２０４８ＫＨｚとすることができる。
【００２３】
また、ＴＣＭ ＩＳＤＮ加入者処理部は、ＰＳＴＮを介して入力されたＴＣＭ ＩＳＤＮデータを一時的に格納するための送信格納部と、ＴＣＭ ＩＳＤＮ端末機から転送されるＴＣＭ ＩＳＤＮデータを一時的に格納するための受信格納部と、ＰＳＴＮからＴＣＭ ＩＳＤＮデータを受信すると、該受信されたＴＣＭ ＩＳＤＮデータを前記送信格納部に一時的に格納した後に、該格納されたＴＣＭ ＩＳＤＮデータを同期クロック生成部から提供されたＴＴＲ基準クロックに同期化し、該同期化されたＴＣＭ ＩＳＤＮデータを加入者のＴＣＭ ＩＳＤＮ端末機に転送し、且つ、ＴＣＭ ＩＳＤＮ端末機からＴＣＭ ＩＳＤＮデータを受信すると、該受信されたＴＣＭ ＩＳＤＮデータを同期クロック生成部から提供されたＴＴＲＫＩジューンクロックに同期化して、該同期化されたＴＣＭ ＩＳＤＮデータを一時的に格納した後に、該格納されたＴＣＭ ＩＳＤＮデータをＰＳＴＮに転送するフレーム整列部と、を備えることができる。
【００２４】
ここで、送信格納部は、１２８バイトの容量を有し、３２バイト単位で３個の格納領域が設定された構成とすることができる。言い換えると、送信格納部の容量は、１２８Ｂｙｔｅｓのアドレスを使用する。そして、ＰＳＴＮのＩＳＤＮデータ（Ｅ１データ）は、８ＫＨｚの周期（１２５μｓｅｃ）で２０４８Ｋｂｐｓの転送速度を有するので、３２ｂｙｔｅの容量を有することによって、３２バイト単位で格納される。
【００２５】
また、送信格納部は、入力されたデータを格納するためのＩＳＤＮ送信データ入力領域と、格納されたデータを出力するためのＩＳＤＮ送信データ出力領域とを備えることができ、さらには、ＩＳＤＮ送信データ入力領域に存在するデータをＩＳＤＮ送信データ出力領域に移動させるためのＩＳＤＮ送信データ移動領域を備えることができる。
【００２６】
また、受信格納部は、１２８バイトの容量を有し、３２バイト単位で３個の格納領域が設定された構成とすることができる。受信格納部は、入力されたデータを格納するためのＩＳＤＮ受信データ入力領域と、格納されたデータを出力するためのＩＳＤＮ受信データ出力領域とを備えることができ、さらには、ＩＳＤＮ受信データ入力領域に存在するデータをＩＳＤＮ受信データ出力領域に移動させるためのＩＳＤＮ受信データ移動領域を備えることができる。
【００２７】
また、本発明の第２の側面によるＴＣＭ ＩＳＤＮ技術が適用された次世代ネットワークシステムの制御方法は、ＡＴＭ網から提供された広帯域クロックを用いて、ＴＴＲ基準クロック及びｘＤＳＬデータ同期クロックを生成し出力する段階と、ＰＳＴＮからＴＣＭ ＩＳＤＮデータを受信すると、該受信されたＴＣＭ ＩＳＤＮデータを一時的に格納した後に、該格納されたＴＣＭ ＩＳＤＮデータをＴＴＲ基準クロック及びｘＤＳＬデータ同期クロックに同期化して、該同期化されたＴＣＭ ＩＳＤＮデータを加入者のＴＣＭ ＩＳＤＮ端末機に転送する段階と、を備える。
【００２８】
ここで、ＡＴＭ網から提供された広帯域クロックを用いてＴＴＲ基準クロック及びｘＤＳＬデータ同期クロックを生成し出力する段階は、ＡＴＭ網から広帯域クロックを受信する段階と、該受信された広帯域クロックを用いてｘＤＳＬデータ同期クロック及びＴＴＲ基準クロックを生成する段階と、該生成されたｘＤＳＬデータ同期クロック及びＴＴＲ基準クロックと、発振器から提供された分周クロックと、を用いてＴＣＭ ＩＳＤＮデータクロックを生成して提供する段階と、を備えることができる。ここで、ＴＣＭ ＩＳＤＮデータクロックは、２０４８ＫＨｚのクロックである。
【００２９】
ＰＳＴＮからＴＣＭＩＳＤＮデータを受信すると、該受信されたＴＣＭ ＩＳＤＮデータを一時的に格納した後に、該格納されたＴＣＭ ＩＳＤＮデータをＴＴＲ基準クロック及びｘＤＳＬデータ同期クロックに同期化して、該同期化されたＴＣＭ ＩＳＤＮデータを加入者のＴＣＭ ＩＳＤＮ端末機に転送する段階は、ＰＳＴＮから受信されたＴＣＭ ＩＳＤＮデータをＩＳＤＮ送信データ入力領域に格納する段階と、ＩＳＤＮ送信データ出力領域に格納されたＴＣＭ ＩＳＤＮデータをＴＴＲ基準クロックに同期化して、該同期化されたＴＣＭ ＩＳＤＮデータをＴＣＭ ＩＳＤＮ端末機に転送する段階と、を備えた構成とすることができる。
【００３０】
ＰＳＴＮからＴＣＭ ＩＳＤＮデータを受信すると、該受信されたＴＣＭ ＩＳＤＮデータを一時的に格納した後、該格納されたＴＣＭ ＩＳＤＮデータをＴＴＲ基準クロック及びｘＤＳＬデータ同期クロックに同期化して、該同期化されたＴＣＭ ＩＳＤＮデータを加入者のＴＣＭ ＩＳＤＮ端末機に転送する段階は、ＴＣＭ ＩＳＤＮデータをＴＴＲ基準クロックに同期化して転送した後に、各領域に格納されたＴＣＭ ＩＳＤＮデータをシフトさせて、次の領域に移動させる構成とすることができる。
【００３１】
また、ＴＣＭ ＩＳＤＮ端末機からＴＣＭ ＩＳＤＮデータを受信した場合に、該受信されたＴＣＭ ＩＳＤＮデータをＴＴＲ基準クロック及びｘＤＳＬデータ同期クロックに同期化して、該同期化されたＴＣＭ ＩＳＤＮデータを一時的に格納した後に、該格納されたＴＣＭ ＩＳＤＮデータをＰＳＴＮに転送する段階をさらに備えた構成とすることができる。
【００３２】
ここで、ＴＣＭ ＩＳＤＮ端末機からＴＣＭ ＩＳＤＮデータを受信した場合に、該受信されたＴＣＭ ＩＳＤＮデータをＴＴＲ基準クロック及びｘＤＳＬデータ同期クロックに同期化して、該同期化されたＴＣＭ ＩＳＤＮデータを一時的に格納した後に、該格納されたＴＣＭ ＩＳＤＮデータをＰＳＴＮに転送する段階は、ＴＣＭ ＩＳＤＮ端末機から受信されたＴＣＭ ＩＳＤＮデータをＴＴＲ基準クロックに同期化して、該同期化されたＴＣＭ ＩＳＤＮデータをＩＳＤＮ受信データ入力領域に格納する段階と、ＩＳＤＮ受信データ出力領域に格納されたＴＣＭ ＩＳＤＮデータをＰＳＴＮに転送する段階と、を備えた構成とすることができる。
【００３３】
また、ＴＣＭ ＩＳＤＮ端末機からＴＣＭ ＩＳＤＮデータを受信した場合に、ＴＣＭ ＩＳＤＮ加入者処理部が、該受信されたＴＣＭ ＩＳＤＮデータをＴＴＲ基準クロック及びｘＤＳＬデータ同期クロックに同期化して、該同期化されたＴＣＭ ＩＳＤＮデータを一時的に格納した後に、該格納されたＴＣＭ ＩＳＤＮデータをＰＳＴＮに転送する段階は、ＴＴＲ基準クロックに同期化して格納されたＴＣＭ ＩＳＤＮデータをＰＳＴＮに転送した後に、各領域に格納されたＴＣＭ ＩＳＤＮデータをシフトさせて、次の領域に移動させる構成とすることができる。
【発明の効果】
【００３４】
本発明に係るＴＣＭ ＩＳＤＮ技術が適用された次世代ネットワークシステム及びその制御方法によれば、ＴＣＭ ＩＳＤＮサービスとｘＤＳＬサービスとを同時に提供する際に、データサービス線路を統合することによって発生するノイズを除去させることによって、安定したシステムを提供することができる、という優れた効果を奏する。
【発明を実施するための最良の形態】
【００３５】
以下、添付の図面を参照して、本発明によるＴＣＭ ＩＳＤＮ技術が適用された次世代ネットワークシステム及びその制御方法の好適な実施の形態について詳細に説明する。この際、以下に説明するシステム構成は、本発明の説明のために引用したシステムであって、本発明が下記のシステムに限定されないことが、この分野における通常の知識を有する者にとって自明になるだろう。
【００３６】
図１は、本発明によるＴＣＭ（Time Compression Multiplex）ＩＳＤＮ（Integrated Service Digital Network）技術が適用された次世代ネットワークシステムの構成を示す図である。図１に示すように、本実施形態によるＴＣＭ ＩＳＤＮ技術が適用された次世代ネットワークシステムは、同期クロック生成部１００と、ＴＣＭ ＩＳＤＮ加入者処理部２００と、ＭＤＳＬＡＭ３００と、ＩＳＤＮ加入者線路４１０とｘＤＳＬ専用線路４２０とを一つの線路として統合した統合線路４００と、を含む。ここで、ＴＣＭ ＩＳＤＮ加入者処理部２００は、ＰＳＴＮ（Public Switched Telephone Network）１から受信されるＴＣＭ ＩＳＤＮデータを一時的に格納するものであり、ＩＳＤＮ加入者線路４１０を介してＴＣＭ ＩＳＤＮ加入者のＴＣＭ ＩＳＤＮ端末機４と接続される。また、ＭＤＳＬＡＭ３００は、ｘＤＳＬ専用線路４２０を介してｘＤＳＬ端末機５と接続される。
【００３７】
同期クロック生成部１００は、ＡＴＭ（Asynchronous Transfer Mode）網２を介して提供される広帯域クロック（６４ＫＨｚ）を用いて、ＴＣＭ ＩＳＤＮ及びｘＤＳＬで使われるＴＴＲ（Transmit Timing Reference）基準クロック（４００Ｈｚ）を生成し、該生成されたＴＴＲ基準クロックをＴＣＭ ＩＳＤＮ加入者処理部２００及びＭＤＳＬＡＭ３００の各々に供給する。また、同期クロック生成部１００は、クロック処理部１１０と、位相固定ループ１２０と、発信器１３０とを含む。
【００３８】
同期クロック生成部１００のクロック処理部１１０は、ＡＴＭ網２から提供される広帯域クロック（６４ＫＨｚ）を用いて、ｘＤＳＬデータを同期化するためのｘＤＳＬデータ同期クロック（８ＫＨｚ）と、ＴＴＲ基準クロック（４００Ｈｚ）と、をそれぞれ生成し、該生成された２つのクロックをＭＤＳＬＡＭ３００及び位相固定ループ１２０に供給すると同時に、ＴＣＭ ＩＳＤＮ加入者処理部２００にＴＴＲ基準クロック（４００Ｈｚ）を供給する。
【００３９】
そして、同期クロック生成部１００の位相固定ループ１２０は、クロック処理部１１０を介して受信されたｘＤＳＬデータ同期クロック（８ＫＨｚ）及びＴＴＲ基準クロック（４００Ｈｚ）と、発振器１３０から提供された分周クロック（１６．３８４ＭＨｚ）とを用いて、ＴＣＭ ＩＳＤＮデータクロック（２０４８ＫＨｚ）及びＴＴＲ基準クロック（４００Ｈｚ）を生成し、該生成されたＴＣＭ ＩＳＤＮデータクロック（２０４８ＫＨｚ）及びＴＴＲ基準クロック（４００Ｈｚ）をＴＣＭＩＳＤＮ加入者処理部２００に提供する。
【００４０】
そして、ＴＣＭ ＩＳＤＮ加入者処理部２００は、ＰＳＴＮ１から受信されるＴＣＭ ＩＳＤＮデータを一時的に格納した後、ＴＣＭ ＩＳＤＮデータのフレームを整列し、ＴＣＭ ＩＳＤＮデータを、同期クロック生成部１００を介して提供されたＴＣＭ ＩＳＤＮデータクロック（２０４８ＫＨｚ）及びＴＴＲ基準クロック（４００Ｈｚ）に同期化して、かかるＴＣＭ ＩＳＤＮデータをＴＣＭ ＩＳＤＮ加入者に送受信する。また、これと同時に、ＴＣＭ ＩＳＤＮ加入者処理部２００は、ＴＣＭ ＩＳＤＮ端末機４から受信されるＴＣＭ ＩＳＤＮデータを、同期クロック生成部１００から提供されたＴＣＭ ＩＳＤＮデータクロック（２０４８ＫＨｚ）及びＴＴＲ基準クロック（４００Ｈｚ）に同期化して、該同期化されたＴＣＭ ＩＳＤＮデータを、一時的に格納した後にＰＳＴＮ１に転送する。このために、ＴＣＭ ＩＳＤＮ加入者処理部２００は、送信格納部２１０と、受信格納部２２０と、フレーム整列部２３０とを含む。そして、ＴＣＭ ＩＳＤＮ加入者処理部２００は、図示しないＥ１ラインインタフェース、ＴＣＭ ＩＳＤＮデジタルフロントエンドユニット（Digital Front End Unit）、及びアナログフロントエンドユニット（Analog Front End Unit）を含む。
【００４１】
また、ＴＣＭ ＩＳＤＮ加入者処理部２００は、ＰＳＴＮ１からは同期クロックを受信しないため、同期クロック生成部１００を介して、ＩＳＤＮデータ転送に必要なＴＣＭ ＩＳＤＮデータ同期クロック（２０４８ＫＨｚ）を受信する。
【００４２】
ＴＣＭＩＳＤＮ加入者処理部２００の送信格納部２１０は、ＰＳＴＮ１を介して入力されたＴＣＭ ＩＳＤＮデータを一時的に格納する。この実施形態では、送信格納部２１０は、１２８バイトの容量を有しており、３２バイト単位で３個の格納領域が設定される。すなわち、図２Ａに示すように、送信格納部２１０は、入力されたＴＣＭ ＩＳＤＮデータを格納するためのＩＳＤＮ送信データ入力領域２１１と、格納されたＴＣＭ ＩＳＤＮデータを出力するためのＩＳＤＮ送信データ出力領域２１３と、を含み、さらに、ＩＳＤＮ送信データ入力領域２１１に存在するＴＣＭ ＩＳＤＮデータをＩＳＤＮ送信データ出力領域２１３に移動させるためのＩＳＤＮ送信データ移動領域２１２を含む。
【００４３】
そして、ＴＣＭ ＩＳＤＮ加入者処理部２００の受信格納部２２０は、ＴＣＭ ＩＳＤＮ端末機４から受信されたＴＣＭ ＩＳＤＮデータを一時的に格納する。この実施形態では、受信格納部２２０は、１２８バイトの容量を有しており、３２バイト単位で３個の格納領域が設定される。すなわち、図２Ｂに示すように、受信格納部２２０は、入力されたＴＣＭ ＩＳＤＮデータを格納するためのＩＳＤＮ受信データ入力領域２２１と、格納されたＴＣＭ ＩＳＤＮデータを出力するためのＩＳＤＮ受信データ出力領域２２３と、を含み、さらに、ＩＳＤＮ受信データ入力領域２２１に存在するＴＣＭ ＩＳＤＮデータをＩＳＤＮ受信データ出力領域２２３に移動させるためのＩＳＤＮ受信データ移動領域２２２を含む。
【００４４】
また、ＰＳＴＮ１からのＴＣＭ ＩＳＤＮデータの受信時に、ＴＣＭ ＩＳＤＮ加入者処理部２００のフレーム整列部２３０は、該受信されたＴＣＭ ＩＳＤＮデータを送信格納部２１０に一時的に格納した後に、該格納されたＴＣＭ ＩＳＤＮデータを、同期クロック生成部１００を介して提供されたＴＴＲ基準クロック（４００Ｈｚ）に同期化して、該同期化されたＴＣＭ ＩＳＤＮデータをＴＣＭ ＩＳＤＮ加入者（ＴＣＭ ＩＳＤＮ端末機４）に転送する。一方、ＴＣＭＩＳＤＮ端末機４からのＴＣＭ ＩＳＤＮデータの受信時には、フレーム整列部２３０は、そのＴＣＭ ＩＳＤＮデータを、同期クロック生成部１００を介して提供されたＴＴＲ基準クロック（４００Ｈｚ）に同期化して、該同期化されたＴＣＭ ＩＳＤＮデータを一時的に格納した後に、該格納されたＴＣＭ ＩＳＤＮデータをＰＳＴＮ１に転送する。典型的な実施の形態として、フレーム整列部２３０は、図示しないＥ１ラインインタフェースとＴＣＭ ＩＳＤＮデジタルフロントエンドユニットとの間に装着される。
【００４５】
以下、前述した各構成の一般的な機能及び各々の詳細な動作についての詳細な説明は省略し、主に本発明に関連した動作について説明する。
【００４６】
まず、次世代ネットワークシステムは、ＰＳＴＮ１に接続し、かつ同期クロック生成部１００から提供されるＴＴＲ基準クロック（４００Ｈｚ）に同期化して、ＴＣＭ ＩＳＤＮデータの送受信を遂行するＴＣＭ ＩＳＤＮ加入者処理部２００と、ＡＴＭ網２に接続し、かつ同期クロック生成部１００から提供されるＴＴＲ基準クロック（４００Ｈｚ）に同期化して、ｘＤＳＬデータの送受信を遂行するＭＤＳＬＡＭ３００と、ＡＴＭ網２から提供される広帯域クロック（６４ＫＨｚ）を受信した後、ＴＴＲ基準クロック（４００Ｈｚ）及びｘＤＳＬデータ同期クロック（８ＫＨｚ）をＭＤＳＬＡＭ３００に提供すると同時に、ＴＣＭ ＩＳＤＮデータを処理するためのＴＴＲ基準クロック（４００Ｈｚ）をＴＣＭ ＩＳＤＮ加入者処理部２００に提供する同期クロック生成部１００と、を含む。すなわち、ＴＣＭ ＩＳＤＮ技術を適用するために、この次世代ネットワークシステムでは、ＴＴＲ基準クロック（４００Ｈｚ）をＴＣＭ ＩＳＤＮ加入者処理部２００及びＭＤＳＬＡＭ３００に提供する。
【００４７】
したがって、同期クロック生成部１００のクロック処理部１１０は、ＡＴＭ網２から提供された広帯域クロック（６４ＫＨｚ）を用いて ｘＤＳＬデータ同期クロック（８ＫＨｚ）及びＴＴＲ基準クロック（４００Ｈｚ）を生成し、該生成された２つのクロックを同期クロック生成部１００の位相固定ループ１２０に提供する。この際に、クロック処理部１１０は、ＴＴＲ基準クロック（４００Ｈｚ）をＴＣＭ ＩＳＤＮ加入者処理部２００及びＭＤＳＬＡＭ３００に提供する。
【００４８】
次に、位相固定ループ１２０は、クロック処理部１１０から受信された ｘＤＳＬデータ同期クロック（８ＫＨｚ）及びＴＴＲ基準クロック（４００Ｈｚ）と、発振器１３０から提供される分周クロック（１６．３８４ＭＨｚ）とを用いて、ＴＣＭ ＩＳＤＮデータクロック（２０４８ＫＨｚ）及びｘＤＳＬデータ同期クロック（８ＫＨｚ）を生成し、該生成された２つのクロックをＴＣＭ ＩＳＤＮ加入者処理部２００に転送する。
【００４９】
すると、ＴＣＭ ＩＳＤＮ加入者処理部２００のフレーム整列部２３０は、位相固定ループ１２０からＴＣＭ ＩＳＤＮデータクロック（２０４８ＫＨｚ）及びｘＤＳＬデータ同期クロック（８ＫＨｚ）を受信すると同時に、クロック処理部１１０を介してＴＴＲ基準クロック（４００Ｈｚ）を受信する。
【００５０】
したがって、ＴＣＭ ＩＳＤＮ加入者処理部２００のフレーム整列部２３０は、ＰＳＴＮ１からＴＣＭ ＩＳＤＮ端末機４に転送されるＴＣＭ ＩＳＤＮデータを受信すると、その受信されたＴＣＭ ＩＳＤＮデータを送信格納部２１０に一時的に格納する。ここで、送信格納部２１０は、上述のように、ＩＳＤＮ送信データ入力領域２１１と、ＩＳＤＮ送信データ移動領域２１２と、ＩＳＤＮ送信データ出力領域２１３などのように３個の領域に区分されており、これら各領域は、３２バイト単位で構成されている。
【００５１】
したがって、フレーム整列部２３０は、ＰＳＴＮ１から受信されたＴＣＭ ＩＳＤＮデータを、３２バイト単位でＩＳＤＮ送信データ入力領域２１１に格納する。
【００５２】
次に、フレーム整列部２３０は、ＩＳＤＮ送信データ入力領域２１１に格納されたＴＣＭ ＩＳＤＮデータをシフトさせてＩＳＤＮ送信データ移動領域２１２に移動させると同時に、次の３２バイトのＴＣＭ ＩＳＤＮデータをＩＳＤＮ送信データ入力領域２１１に格納する。
【００５３】
その後、フレーム整列部２３０は、ＩＳＤＮ送信データ移動領域２１２に格納されたＴＣＭ ＩＳＤＮデータをシフトさせて、ＩＳＤＮ送信データ出力領域２１３に移動させると同時に、ＩＳＤＮ送信データ入力領域２１１に格納されたＴＣＭ ＩＳＤＮデータをシフトさせて、ＩＳＤＮ送信データ移動領域２１２に移動させる。
【００５４】
次に、フレーム整列部２３０は、ＩＳＤＮ送信データ入力領域２１１にＴＣＭ ＩＳＤＮデータを格納する。
【００５５】
その後、フレーム整列部２３０は、ＩＳＤＮ送信データ出力領域２１３にＴＣＭ ＩＳＤＮデータが格納されている場合には、該格納されているＴＣＭ ＩＳＤＮデータをＴＣＭ ＩＳＤＮ端末機４に転送する。この際に、フレーム整列部２３０は、当該ＴＣＭ ＩＳＤＮデータを、位相固定ループ１２０から提供されるＴＣＭ ＩＳＤＮデータクロック（２０４８ＫＨｚ）を用いて転送し、かつ、クロック処理部１１０から提供されるＴＴＲ基準クロック（４００Ｈｚ）に同期化して転送する。
【００５６】
その後、フレーム整列部２３０は、ＩＳＤＮ送信データ入力領域２１１及びＩＳＤＮ送信データ移動領域２１２に格納されたＴＣＭ ＩＳＤＮデータを各々シフトさせて、次の領域、すなわちＩＳＤＮ送信データ移動領域２１２及びＩＳＤＮ送信データ出力領域２１３に移動させる。
【００５７】
また、フレーム整列部２３０は、ＴＣＭ ＩＳＤＮ端末機４に転送すべきＴＣＭ ＩＳＤＮデータを、ＩＳＤＮ送信データ入力領域２１１に格納する。
【００５８】
前述のように、フレーム整列部２３０は、ＰＳＴＮ１から受信されたＴＣＭ ＩＳＤＮデータを、送信格納部２１０のＩＳＤＮ送信データ入力領域２１１にのみ格納し、出力時には、送信格納部２１０のＩＳＤＮ送信データ出力領域２１３に格納されたＴＣＭ ＩＳＤＮデータだけを読み込み、該読み込まれたＴＣＭ ＩＳＤＮデータをＴＴＲ基準クロックに同期させてＴＣＭ ＩＳＤＮ端末機４に転送することによって、ＴＣＭ ＩＳＤＮデータの衝突を避けることができ、加えて、ＴＴＲ基準クロック（４００Ｈｚ）に同期化して送受信を遂行することによって、ＴＣＭ技術を実現することができる。
【００５９】
一方、ＴＣＭ ＩＳＤＮ端末機４からＴＣＭ ＩＳＤＮデータを受信する場合に、フレーム整列部２３０は、かかるＴＣＭ ＩＳＤＮデータを３２バイト単位で受信格納部２２０に格納する。ここで、受信格納部２２０は、上述のように、ＩＳＤＮ受信データ入力領域２２１と、ＩＳＤＮ受信データ移動領域２２２と、ＩＳＤＮ受信データ出力領域２２３などのように３個の領域に区分されており、これら各領域は、３２バイト単位で構成されている。
【００６０】
したがって、フレーム整列部２３０は、当該ＴＣＭ ＩＳＤＮデータを、クロック処理部１１０から提供されたＴＴＲ基準クロック（４００Ｈｚ）に同期化して、３２バイト単位でＩＳＤＮ受信データ入力領域２２１に一時的に格納する。
【００６１】
その後、フレーム整列部２３０は、ＩＳＤＮ受信データ入力領域２２１に格納されたＴＣＭ ＩＳＤＮデータをシフトさせて、ＩＳＤＮ受信データ移動領域２２２に移動させると同時に、次のＴＣＭ ＩＳＤＮデータをＩＳＤＮ受信データ入力領域２２１に格納する。
【００６２】
さらに、フレーム整列部２３０は、ＩＳＤＮ受信データ移動領域２２２及びＩＳＤＮ受信データ入力領域２２１に各々格納されたＴＣＭ ＩＳＤＮデータを、ＩＳＤＮ受信データ出力領域２２３及びＩＳＤＮ受信データ移動領域２２２に移動させた後に、ＩＳＤＮ受信データ入力領域２２１にＴＣＭ ＩＳＤＮデータを格納する。
【００６３】
その後、フレーム整列部２３０は、ＩＳＤＮ受信データ出力領域２２３に格納されたＴＣＭ ＩＳＤＮデータをＰＳＴＮ１に転送する。
【００６４】
前述のように、フレーム整列部２３０は、ＴＣＭ ＩＳＤＮ端末機４から受信されたＴＣＭ ＩＳＤＮデータをＴＴＲ基準クロック（４００Ｈｚ）に同期させて、該同期化されたＴＣＭ ＩＳＤＮデータを受信格納部２２０のＩＳＤＮ受信データ入力領域２２１にのみ格納し、出力時には、受信格納部２２０のＩＳＤＮ受信データ出力領域２２３に格納されたＴＣＭ ＩＳＤＮデータのみを読み込んでＴＣＭ ＩＳＤＮ端末機４に転送することによって、ＴＣＭ ＩＳＤＮデータの衝突を避けることができ、加えて、ＴＣＭ ＩＳＤＮデータをＴＴＲ基準クロック（４００Ｈｚ）に同期化して送受信することによって、ＴＣＭ技術を実現することができる。
【００６５】
次に、前述のような構成を有する本発明によるＴＣＭ ＩＳＤＮ技術が適用された次世代ネットワークシステムの制御方法について、図３以下を参照して説明する。
【００６６】
まず、同期クロック生成部１００が、ＡＴＭ網２から提供された広帯域クロック（６４ＫＨｚ）を用いて、ＴＴＲ基準クロック（４００Ｈｚ）及びｘＤＳＬデータ同期クロック（８ＫＨｚ）を生成し、上述した各部に提供する（ステップＳ１）。
【００６７】
ここで、ＡＴＭ網２から提供された広帯域クロック（６４ＫＨｚ）を用いてＴＴＲ基準クロック（４００Ｈｚ）及びｘＤＳＬデータ同期クロック（８ＫＨｚ）を生成する段階（ステップＳ１）の詳細について、図４を参照して説明する。
【００６８】
まず、同期クロック生成部１００は、ＡＴＭ網２から広帯域クロック（６４ＫＨｚ）を受信する（ステップＳ１１）。
【００６９】
すると、同期クロック生成部１００は、受信された広帯域クロック（６４ＫＨｚ）を用いて、ｘＤＳＬデータ同期クロック（８ＫＨｚ）及びＴＴＲ基準クロック（４００Ｈｚ）を生成する（ステップＳ１２）。
【００７０】
次に、同期クロック生成部１００は、生成されたｘＤＳＬデータ同期クロック（８ＫＨｚ）及びＴＴＲ基準クロック（４００Ｈｚ）と、発振器１３０から提供された分周クロック（１６．３８４ＭＨｚ）とを用いて、ＴＣＭ ＩＳＤＮデータクロック（２０４８ＫＨｚ）を生成し、該生成されたクロックをＴＣＭ ＩＳＤＮ加入者処理部２００に提供する（ステップＳ１３）。
【００７１】
その後、同期クロック生成部１００を介してｘＤＳＬデータ同期クロック（８ＫＨｚ）、ＴＴＲ基準クロック（４００Ｈｚ）、及びＴＣＭ ＩＳＤＮデータクロック（２０４８ＫＨｚ）を提供されたＴＣＭ ＩＳＤＮ加入者処理部２００は、ＰＳＴＮ１からＴＣＭ ＩＳＤＮデータを受信した場合に、該受信されたＴＣＭ ＩＳＤＮデータを一時的に格納し、該格納されたＴＣＭ ＩＳＤＮデータをＴＴＲ基準クロック（４００Ｈｚ）及びｘＤＳＬデータ同期クロック（８ＫＨｚ）に同期化し、該同期化されたＴＣＭ ＩＳＤＮデータをＴＣＭ ＩＳＤＮ端末機３に転送する（図３のステップＳ２）。
【００７２】
以下、図３のステップＳ２、すなわちＰＳＴＮ１から受信されたＴＣＭ ＩＳＤＮデータを一時的に格納した後、ＴＴＲ基準クロック（４００Ｈｚ）及びｘＤＳＬデータ同期クロック（８ＫＨｚ）に同期化して、ＴＣＭ ＩＳＤＮ端末機４に転送する段階の詳細について、図５を参照して説明する。
【００７３】
まず、ＴＣＭ ＩＳＤＮ加入者処理部２００は、ＰＳＴＮ１から受信されたＴＣＭ ＩＳＤＮデータをＩＳＤＮ送信データ入力領域２１１に格納する（ステップＳ２１）。
【００７４】
次に、ＴＣＭ ＩＳＤＮ加入者処理部２００は、ＩＳＤＮ送信データ出力領域２１３に格納されたＴＣＭ ＩＳＤＮデータをＴＴＲ基準クロック（４００Ｈｚ）及びｘＤＳＬデータ同期クロック（８ＫＨｚ）に同期化して、該同期化されたＴＣＭ ＩＳＤＮデータをＴＣＭ ＩＳＤＮ端末機４に転送する（ステップＳ２２）。
【００７５】
このようにＴＣＭ ＩＳＤＮデータをＴＴＲ基準クロック（４００Ｈｚ）及びｘＤＳＬデータ同期クロック（８ＫＨｚ）に同期化して転送した後に、ＴＣＭ ＩＳＤＮ加入者処理部２００は、各領域に格納されたＴＣＭ ＩＳＤＮデータをシフトさせて、次の領域に移動させる（ステップＳ２３）。
【００７６】
他方、ＴＣＭ ＩＳＤＮ端末機４からＴＣＭ ＩＳＤＮデータを受信した場合には、ＴＣＭ ＩＳＤＮ加入者処理部２００は、該受信されたＴＣＭ ＩＳＤＮデータをＴＴＲ基準クロック（４００Ｈｚ）及びｘＤＳＬデータ同期クロック（８ＫＨｚ）に同期化して一時的に格納した後に、該格納されたＴＣＭ ＩＳＤＮデータをＰＳＴＮ１に転送する（ステップＳ３）。
【００７７】
以下、ステップＳ３、すなわちＴＣＭ ＩＳＤＮ端末機４からのＴＣＭ ＩＳＤＮデータ受信時に、該受信データをＴＴＲ基準クロック（４００Ｈｚ）及びｘＤＳＬデータ同期クロック（８ＫＨｚ）に同期化して一時的に格納した後、ＰＳＴＮ１に転送する段階（ステップＳ３）の詳細について、図６を参照して説明する。
【００７８】
まず、ＴＣＭ ＩＳＤＮ加入者処理部２００は、ＴＣＭ ＩＳＤＮ端末機４から受信されたＴＣＭ ＩＳＤＮデータをＴＴＲ基準クロック（４００Ｈｚ）及びｘＤＳＬデータ同期クロック（８ＫＨｚ）に同期化して、該同期化されたＴＣＭ ＩＳＤＮデータをＩＳＤＮ受信データ入力領域２２１に格納する（ステップＳ３１）。
【００７９】
次に、ＴＣＭ ＩＳＤＮ加入者処理部２００は、ＩＳＤＮ受信データ出力領域２２３に格納されたＴＣＭ ＩＳＤＮデータをＰＳＴＮ１に転送する（ステップＳ３２）。
【００８０】
このように、ＴＴＲ基準クロックに同期化して格納されたＴＣＭ ＩＳＤＮデータをＰＳＴＮ１に転送した後に、ＴＣＭ ＩＳＤＮ加入者処理部２００は、各領域に格納されたＴＣＭ ＩＳＤＮデータをシフトさせて、次の領域に移動させる（ステップＳ３３）。
【００８１】
この際に、ＴＣＭ ＩＳＤＮ加入者処理部２００は、前述のようなプロセシング過程により処理される。
【００８２】
この際、送／受信格納部（２１０／２２０）は、図２Ｃに示すように、ＷＥＡ、ＥＮＡ、ＲＳＴＡ、ＣＬＫＡ、ＡＤＤ［＃：０］、ＤＩＡ［＃：０］、及びＤＯＡ［＃：０］と、ＷＥＢ、ＥＮＢ、ＲＳＴＢ、ＣＬＫＢ、ＡＤＤＲＢ：０］、ＤＩＢ［＃：０］、及びＤＯＢ［＃：０］の端子を有している。
【００８３】
以下、ＩＳＤＮ送信データ入力領域２１１またはＩＳＤＮ受信データ入力領域２２１にデータを格納するためのプロセシング過程を示す。
【００８４】
LIBRARY ieee; 
USE ieee.std_logic_1164.ALL; 
Library XilinxCoreLib; 
ENTITY bmdpram_512 IS 
port (
addra:   IN std_logic_VECTOR(6 downto 0);
addrb:   IN std_logic_VECTOR(6 downto 0);
clka:     IN std_logic;
clkb:    IN std_logic;
dina:    IN std_logic_VECTOR(7 downto 0);
doutb:   OUT std_logic_VECTOR(7 downto 0);
enb:    IN std_logic;
wea:    IN std_logic);
END bmdpram_512;
【００８５】
以下、ＩＳＤＮ送信データ出力領域２１３及びＩＳＤＮ受信データ出力領域２２３にデータを格納するプロセシング過程を示す。
【００８６】
process(Xrstb, DownRd_Clk, DownBSync)
begin
if(Xrstb = '0') then
xrxdpr_enb <= '0';
xrxdpr_rcnt(7 downto 0) <= "00000000";
xrxdpr_radr <= (others => '0');
xrxframe_addr <= "00";
elsif (DownRd_Clk'event and DownRd_Clk = '0') then
if (DownBSync = '0') then
xrxdpr_rcnt(7 downto 0) <= "00000001";
xrxframe_addr <= xframe_addr + "10";
xrxdpr_radr <= xrxframe_addr & "00010";
xrxdpr_enb <= '0';
elsif(xrxdpr_rcnt(2 downto 0) = "111") then
xrxdpr_radr <= xrxdpr_radr + '1';
xrxdpr_enb <= '1';
xrxdpr_rcnt <= xrxdpr_rcnt + '1';
else 
xrxdpr_enb <= '0';
xrxdpr_rcnt <= xrxdpr_rcnt + '1';
end if;
end if;
end process;
【００８７】
以下、ＩＳＤＮ送信データ移動領域２１２及びＩＳＤＮ受信データ移動領域２２２にデータを格納するプロセシング過程を示す。
【００８８】
FPGARX_PtoS1: process(Xrstb, DownRd_Clk,xrxdpr_enb)
begin
if(Xrstb = '0') then
xreg2 <= "11111111";
elsif(DownRd_Clk'event and DownRd_Clk='1') then
if (xrxdpr_enb = '1') then
xreg2 <= xrxdpr_dout;
else
xreg2 <= xreg2(6 downto 0) & '1';
end if;
end if;
end process FPGARX_PtoS1;
DownData_Out <= xreg2(7);
end Behaviral_arch;
【００８９】
以上、本発明を具体的な実施の形態に則して説明したが、本発明が属する技術の分野における通常の知識を有する者であれば、特許請求の範囲により規定されるような本発明の精神及び範囲を逸脱することなく、様々な置換、変形及び変更が可能であることは容易に理解されるものである。したがって、本発明の範囲は、上述した実施形態及び添付された図面に限定されるものではない。
【図面の簡単な説明】
【００９０】
【図１】本発明によるＴＣＭ ＩＳＤＮ技術が適用された次世代ネットワークシステムの構成を示す機能ブロック図である。
【図２Ａ】図１のＴＣＭＩＳＤＮ技術が適用された次世代ネットワークシステムにおける送信格納部の詳細構成を示す機能ブロック図である。
【図２Ｂ】図１のＴＣＭＩＳＤＮ技術が適用された次世代ネットワークシステムにおける受信格納部の詳細構成を示す機能ブロック図である。
【図２Ｃ】図１のＴＣＭＩＳＤＮ技術が適用された次世代ネットワークシステムにおける送信／受信格納部の構成を示す機能ブロック図である。
【図３】本発明によるＴＣＭ ＩＳＤＮ技術が適用された次世代ネットワークシステムの制御方法を示すフローチャートである。
【図４】図３のＴＣＭ ＩＳＤＮ技術が適用された次世代ネットワークシステムの制御方法において、同期クロック生成部が広帯域クロックを用いてＴＴＲ基準クロック及びｘＤＳＬデータ同期クロックを生成して提供する段階（Ｓ１）の詳細を示すフローチャートである。
【図５】図３のＴＣＭ ＩＳＤＮ技術が適用された次世代ネットワークシステムの制御方法において、ＴＣＭ ＩＳＤＮ加入者処理部がＰＳＴＮから受信されたＩＳＤＮデータを一時的に格納した後に、該格納されたＩＳＤＮデータをＴＴＲ基準クロック及びｘＤＳＬデータ同期クロックに同期化して、該同期化されたＩＳＤＮデータをＴＣＭ ＩＳＤＮ端末機に転送する段階（Ｓ２）の詳細を示すフローチャートである。
【図６】図３のＴＣＭ ＩＳＤＮ技術が適用された次世代ネットワークシステムの制御方法において、ＴＣＭ ＩＳＤＮ加入者処理部がＴＣＭ ＩＳＤＮ端末機から受信されたＩＳＤＮデータを、ＴＴＲ基準クロック及びｘＤＳＬデータ同期クロックに同期化して一時的に格納した後、ＰＳＴＮに転送する段階（Ｓ３）の詳細を示すフローチャートである。
【符号の説明】
【００９１】
１  ＰＳＴＮ
２  ＡＴＭ網
３  交換局
４  ＴＣＭ ＩＳＤＮ端末機
５  ｘＤＳＬ端末機
１００  同期クロック生成部
１１０  クロック処理部
１２０  位相固定ループ
１３０  発振器
２００  ＴＣＭ ＩＳＤＮ加入者処理部
２１０  送信格納部
２１１  ＩＳＤＮ送信データ入力領域
２１２  ＩＳＤＮ送信データ移動領域
２１３  ＩＳＤＮ送信データ出力領域
２２０  受信格納部
２２１  ＩＳＤＮ受信データ入力領域
２２２  ＩＳＤＮ受信データ移動領域
２２３  ＩＳＤＮ受信データ出力領域
２３０  フレーム整列部
【図１】
2007215190.tif 000003
【図２Ａ】
2007215190.tif 000004
【図２Ｂ】
2007215190.tif 000005
【図２Ｃ】
2007215190.tif 000006
【図３】
2007215190.tif 000007
【図４】
2007215190.tif 000008
【図５】
2007215190.tif 000009
【図６】
2007215190.tif 000010